(57)【要約】      （修正有）【課題】座部・背凭れの高さの最小化を図り、屈んだ状態での全ての作業に最適な、作業椅子を提供する。【解決手段】キャスタを備えた末広がり脚杆を、低脚構造とするとともに、この低脚構造の収斂中央部にベアリングを有する基脚を設け、この基脚に座部の脚支柱を遊嵌し、また、この座部の一面側に低い背凭れを立設するとともに、この背凭れにベルトを係止可能とする。脚杆の自由端部に、垂下した取付杆を設け、この取付杆にキャスタを回転自在に設ける。【選択図】図１
0003163641.tif 000002
【実用新案登録請求の範囲】
【請求項１】
キャスタを備えた末広がり脚杆を、低脚構造とするとともに、この低脚構造の収斂中央部にベアリングを有する基脚を設け、この基脚に座部の脚支柱を遊嵌し、また、この座部の一面側に低い背凭れを立設するとともに、この背凭れにベルトを係止可能とした低脚構造の作業椅子。
【請求項２】
請求項１に記載の低脚構造の作業椅子において、
前記脚杆の自由端部に、垂下した取付杆を設け、この取付杆にキャスタを回転自在に設ける構成とした低脚構造の作業椅子。
【請求項３】
請求項１に記載の低脚構造の作業椅子において、
前記低脚構造の収斂中央部にベアリングを有する基脚を設けるに際し、この基脚の上部に、脚杆の基端部が位置し、前記低脚構造を達成可能とする構成とした低脚構造の作業椅子。
【考案の詳細な説明】
【技術分野】
【０００１】
本考案は、低脚構造の作業椅子で、さらに詳しくは、農作業、釣り、工場、或いはリハビリ用等の椅子（基本的には、農作業で説明する）であって、低脚構造であることを利用し、屈んだ姿勢での各作業を可能とするとともに、人体に取付けた状態で、移動可能とすることを特徴とする。
【背景技術】
【０００２】
周知の如く、農作業において、屈んだ状態での作業、例えば、ハウス、路地、家庭等の草むしり、路地栽培の摘果、間引き作業では、腰、及び／又は、脚、関節等の痛みがあって、大変で作業である。そして、このような状況は、各人が経験するところである。従って、簡易に回転、又は移動でき構造の作業椅子が要望される。このような状況は、前記釣りにおける所作や、工場での作業でも、略同様に考えられる。従って、同様な要望が考えられる。
【０００３】
また、前記とは、分野が異なるが、例えば、リハビリの現場においても、屈んだ状態でのリハビリや、腕の機能回復を意図して、移動に適する椅子が要望される。この分野では、簡易に回転、又は移動でき構造のリハビリ用の椅子があれば、その機能回復と、体格維持にとって重宝される処である。
【０００４】
以上の要望に応え得る、先行文献を、従来技術より検討する。以下、文献として説明する。
【０００５】
先ず、文献（１）は、特開２００１−１２９０２５の「屋内用車椅子」である。この発明は、車高を、通常の１／２とし、かつキャスタを小型化で、強靭な構造とし、足部載置補助台、又は杖の代替品として役立つ車椅子を提供する。しかし、この発明は、車椅子の範疇であるが、その構造を特定するには、問題があり、かつ実際に製造するには、幾多の問題を解消する必要性がある。次に、文献（２）は、特開２００８−１７８３７５の「農作業用低床型腰掛台車」である。この発明は、リフター機構を備えた台車であり、高低の作業に対応可能とすることと、ベルトを設け、膝を台車に固定可能とすることを特徴とする。この発明は、有益であるが、キャタピラの構造であり、旋回（回転）時の動作に問題を抱えている。また、文献（３）は、実開平６−５０４０７号の「装着帯付農業用車椅子」である。この考案は、背凭れを備えた車椅子において、その台座と背凭れに、それぞれベルトを設けた構造であり、車椅子との一体化で、農作業の効率化と容易化等を意図する。しかし、この考案は、背凭れが高い構造であり、作業中は最適と考えられるが、車椅子を取付けた状態での移動は、困難視される。さらに、文献（４）は、実開昭５７−８５２７６号の「腰に着けて移動する軽い腰掛」である。この考案は、発泡スチロール製の立方体の両側に各一本の細紐と、前側に二本対の細紐を設けた構造であり、立方体に着座した状態で、複数の細紐を介して、臀部に取付け可能とした構造である。しかし、この考案は、転輪、キャスタ等の転動部を有さないので、簡易な移動が図れない問題を残している。
【０００６】
【特許文献１】特開２００１−１２９０２５
【特許文献２】特開２００８−１７８３７５
【特許文献３】実開平６−５０４０７号
【特許文献４】実開昭５７−８５２７６号
【考案の概要】
【考案が解決しようとする課題】
【０００７】
前記文献（１）と、文献（２）は、キャスタを備えた構造であり、移動と旋回は可能である。しかしながら、車椅子、台車を取付けた状態での移動は、困難視される。また、この文献（１）は、車椅子の構造であり、また、文献（２）は、リフター機構を備えたキャタピラ台車であり、何れも、構造が複雑であることと、コスト高となること、等の改良点がある。
【０００８】
また、文献（３）は、背凭れに関して、特段の配慮がなく、車椅子を取付けた状態での移動に関して、改良の余地がある。
【０００９】
さらに、文献（４）は、腰に着けて移動する軽い腰掛であり、移動の有利性はある。しかしながら、逆に、背凭れがないことから、ベルトの取付け位置と、臀部への取付けに安定性がなく、この腰掛が作業中に外れ可能性があり、事故発生の蓋然性と、安定性の確保に問題を残すことが考えられる。
【課題を解決するための手段】
【００１０】
請求項１の考案は、低脚構造を利用して、座部の高さと、背凭れの高さの最小化を図り、屈んだ状態での全ての作業に最適な、作業椅子の提供を意図する。そして、また、この請求項１の考案は、背凭れにベルトを係止可能とした低脚構造の作業椅子を提供し、腰部を確実に把持すること、屈んだ姿勢を安定して保持すること、又は作業椅子と人とが一体化し、その移動を確保すること、等を意図する。
【００１１】
請求項１は、キャスタを備えた末広がり脚杆を、低脚構造とするとともに、この低脚構造の収斂中央部にベアリングを有する基脚を設け、この基脚に座部の脚支柱を遊嵌し、また、この座部の一面側に低い背凭れを立設するとともに、この背凭れにベルトを係止可能とした低脚構造の作業椅子である。
【００１２】
請求項２の考案は、請求項１の目的を達成し、かつ脚杆の自由端部に設けた取付杆の軸芯の軸芯に対して、キャスタの回転位置の軸芯を偏芯構造とすることで、キャスタの旋回性と、この旋回性の容易化等を確保すること、脚杆に設けたキャスタの動作の確実性を確保すること、等を意図する。
【００１３】
請求項２は、請求項１に記載の低脚構造の作業椅子において、
前記脚杆の自由端部に、垂下した取付杆を設け、この取付杆にキャスタを回転自在に設ける構成とした低脚構造の作業椅子である。
【００１４】
請求項３の考案は、請求項１の目的を達成し、かつ低脚構造の収斂中央部にベアリングを有する基脚を設けることで、この低脚構造を達成し、この低脚構造の強度の確保を図ること、等を意図する。
【００１５】
請求項３は、請求項１に記載の低脚構造の作業椅子において、
前記低脚構造の収斂中央部にベアリングを有する基脚を設けるに際し、この基脚の上部に、脚杆の基端部が位置し、前記低脚構造を達成可能とする構成とした低脚構造の作業椅子である。
【考案の効果】
【００１６】
請求項１の考案は、キャスタを備えた末広がり脚杆を、低脚構造とするとともに、低脚構造の収斂中央部にベアリングを有する基脚を設け、基脚に座部の脚支柱を遊嵌し、また、座部の一面側に低い背凭れを立設するとともに、背凭れにベルトを係止可能とした低脚構造の作業椅子である。
【００１７】
従って、請求項１は、低脚構造を利用して、座部の高さと、背凭れの高さの最小化を図り、屈んだ状態での全ての作業に最適な、作業椅子の提供できる特徴がある。そして、また、この請求項１は、背凭れにベルトを係止可能とした低脚構造の作業椅子を提供し、腰部を確実に把持できること、屈んだ姿勢を安定して保持できること、又は作業椅子と人とが一体化し、その移動を確保できること、等の実益を有する。
【００１８】
請求項２の考案は、請求項１に記載の低脚構造の作業椅子において、
脚杆の自由端部に、垂下した取付杆を設け、取付杆にキャスタを回転自在に設ける構成とした低脚構造の作業椅子である。
【００１９】
従って、請求項２は、請求項１の目的を達成し、かつ脚杆の自由端部に設けた取付杆の軸芯の軸芯に対して、キャスタの回転位置の軸芯を偏芯構造とすることで、キャスタの旋回性と、この旋回性の容易化等を確保できること、脚杆に設けたキャスタの動作の確実性を確保できること、等の特徴を有する。
【００２０】
請求項３の考案は、請求項１に記載の低脚構造の作業椅子において、
低脚構造の収斂中央部にベアリングを有する基脚を設けるに際し、基脚の上部に、脚杆の基端部が位置し、低脚構造を達成可能とする構成とした低脚構造の作業椅子である。
【００２１】
従って、請求項３は、請求項１の目的を達成し、かつ低脚構造の収斂中央部にベアリングを有する基脚を設けることで、この低脚構造を達成し、この低脚構造の強度の確保が図れること、等の特徴を有する。
【図面の簡単な説明】
【００２２】
【図１】低脚構造の作業椅子（椅子とする）の正面からの俯瞰図
【図２】椅子の背面からの俯瞰図
【図３】椅子の平面図
【図４】椅子の側面図
【図５】椅子の底面からの仰視図
【図６】椅子の脚杆と、基脚、並びに座部との関係を仰視した拡大底面図
【図７−１】農作業の草取りの一例を示した俯瞰図
【図７−２】農作業で、椅子を持上げた模式図
【図８】椅子を利用して釣りをしている状態を示した模式図
【図９】椅子を利用して工場の作業状態を示した模式図
【図１０】椅子を利用してリハビリを行っている状態を示した模式図
【図１１】他の椅子の一例を示した一部欠截の側面図
【考案を実施するための形態】
【００２３】
以下、各実施例の好ましい、各例を、図面を基に説明する。
【００２４】
最初に、図１〜図１０に示した、第一の実施例では、１は椅子であり、この椅子１は、低脚構造２を主要部とした構造である。そして、この椅子１の低脚構造２の主要部は、末広がりで、かつ低脚構造２（脚杆３の傾斜が極めてなだらかな構造を云う）の主体となる四本の脚杆３、３等（３とする）と、この脚杆３の自由端部３ａに、垂直Ａ方向で、かつ下向きに設けた取付杆５、５等（５とする。また、垂下した取付杆５）と、この取付杆５に設けキャスタ６、６等（６とする）と、前記脚杆３（低脚構造２）の収斂中央部３ｂ（基端部３ｂ）に設けた、図示しない、ベアリングを有する基脚７と、この基脚７に遊嵌した座部１０の脚支柱８と、この座部１０の一面側（後側）に垂直Ａ方向で、かつ上向きに設けた低い背凭れ１１と、でなる構造である。そして、他の構造としては、前記背凭れ１１に係止したバックル１２付のベルト１５とを備える。尚、この実施例では、背凭れ１１は、人Ｈの腰Ｈ３に馴染むように、曲面形状のパイプであるが、一例である。
【００２５】
前記の如く、前記脚杆３（低脚構造２）の収斂中央部３ｂに、基脚７の上部を設ける構造を採用して、脚杆３の傾斜を確保しつつ、低脚構造２を達成可能とする。また、脚杆３の自由端部３ａに設けた取付杆５の軸芯Ｘに対して、キャスタ６の回転位置の軸芯Ｘ１を偏芯構造とすることで、キャスタの旋回性と、この旋回性の容易化等を確保できる。
【００２６】
そして、図示の如く、背凭れ１１は、低い高さＢを確保することで、図７−１〜図１０の如く、ベルト１５を利用して、座部１０を、人Ｈの臀部Ｈ１に取付けた状態で、背中Ｈ２に衝撃を与えない構造となっている。殊に、図７−２の如く、椅子１を、ベルト１５を利用して、臀部Ｈ１に取付けたままで、立上った状態（持上げた状態）において、背中Ｈ２に衝撃を与えない構造とすること、また、このような姿勢を容易に確保、かつ維持できること、並びに人Ｈの移動に障害とならないこと、等を意図する。また、このベルト１５の長さ調整と、必要により、背凭れ１１に上下動可能にする構造も可能である。このベルト１５の長さ調整等を採用する例では、機能性、使用等の向上と、人Ｈの体格への適合性の向上等に有益である。
【００２７】
本考案の使用状態を示した、図７−１と、図７−２では、農作業における、例えば、草取りをする作業のイメージ図であり、低脚構造２である利点を利用し、座部１０に着座し、ベルト１５を腰Ｈ３に取付ける。この操作で、人Ｈに椅子１が取付けられ、かつ人Ｈは、地面ＧＬに近接した位置に屈んだ姿勢（座った状態）が確保される。そして、本考案の特徴は、この屈んだ姿勢ではあるが、楽な姿勢を確保できることと、例えば、草取り作業が安心して、かつ長い時間に亙って行えること、何人も使用できること、等が考えられる。殊に、老人、子供、障害者等には優しい椅子１としてのイメージがある。そして、この屈んだ姿勢において、キャスタ６で自由に移動ができる。尚、農作業用の椅子１の例では、このキャスタ６を大型とし、地面ＧＬに陥没しない構造が望ましい。さらに、この椅子１の取外しは、ベルト１５を腰Ｈ３より外すことで可能である。
【００２８】
また、使用状態を示した、図８では、釣りにおける、例えば、竿を操作しているイメージ図であり、低脚構造２である利点を利用し、座部１０に着座等することで、人Ｈは、地面ＧＬ近くに、屈んだ姿勢を確保でき、安心して釣りができることが想像できる。その他は、前述の図７−１と、図７−２等の前例に準ずる。
【００２９】
さらに、使用状態を示した、図９では、工場における、例えば、部品の検査作業のイメージ図であり、低脚構造２である利点を利用し、低い作業台であっても、座部１０に着座等し、人Ｈは、屈んだ姿勢を確保でき、安心して作業ができることが想像できる。その他は、前述の図７−１と、図７−２等の前例に準ずる。
【００３０】
また、その他として、使用状態を示した、図１０では、病院、施設における、例えば、腕Ｈ４とか内臓（図示せず）のリハビリを行なっているイメージ図であり、低脚構造２である利点を利用し、座部１０に着座等し、人Ｈは、屈んだ姿勢を確保できる。そこで、二本のポールを腕Ｈ４で把持し、椅子１を利用して、順次、移動することで、リハビリができる（機能回復と、その持続性等が図れる）こと、また、このリハビリの過程で、転倒することなく、安心して行えるので、有益である。その他は、前述の図７−１と、図７−２等の前例に準ずる。
【００３１】
以上で図示し、かつ説明した各使用例は、本考案の一例を示したものであり、限定されないこと、また、屈んだ姿勢を確保し、家庭での使用例とか、又は同様に、安心して作業、所作、或いは介護等ができる使用例も、当然、本考案の範疇である。
【００３２】
次に、図１１に示した、第二の実施例では、その主要部は、前記第一実施例と同様であり、その相違を説明すると、基脚７を伸縮自在とした構造である。その好ましい、一例を説明すると、基脚７は、第一基脚７００に第二基脚７０１（この第一基脚７００に、脚杆３を設ける）を入子式にした構造である。この第一基脚７００に第二基脚７０１の連繋は、第一基脚７００（又は第二基脚７０１）に設けた複数のピン７０２と、このピン７０２が係入される、第二基脚７０１（又は第一基脚７００）に開設した複数の長孔７０３とで構成し、この第二基脚７０１が、第一基脚７００に上下動可能（移動可能）に設けられる。そして、この上下動は、第一基脚７００と第二基脚７０１との間には、スプリング７０４、及び／又は調節螺子７０５（押圧板を備えた）を設けることで可能とする。例えば、調節螺子７０５を螺入することで、第二基脚７０１が押上げられ（上昇し）、かつスプリング７０４の引張で、所定の位置で固定される。そして、この調節螺子７０５を螺入した長さ、第二基脚７０１が押上げられて、座部１０が高くなる。この上昇をスムーズにするために、前記ピン７０２と長孔７０３の構造が役立つ特徴がある。また、調節螺子７０５を螺戻することで、第二基脚７０１が下がり（降下し）、かつスプリング７０４の反発力で、所定の位置に戻り固定される。そして、この調節螺子７０５を螺戻した長さ、第二基脚７０１が下がり、座部１０が低くなる。この他の実施例における他の構造と、使用は前述の実施例に準ずる。そして、この第二の実施例では、低コスト化と、簡便化等に有効である。さらに、第一の実施例を凌駕した使用の利便性と、活用、又は利用分野の拡充等が可能となり、有益である。尚、この基脚７の伸縮構造は一例であり、他に油圧、ガス等のシリンダ機構、他の手動機構等も採用できる。
【符号の説明】
【００３３】
１            椅子
２            低脚構造
３            脚杆
３ａ          自由端部
３ｂ          収斂中央部（基端部）
５            取付杆
６            キャスタ
７            基脚
７００        第一基脚
７０１        第二基脚
７０２        ピン
７０３        長孔
７０４        スプリング
７０５        調節螺子
８            脚支柱
１０          座部
１１          背凭れ
１２          バックル
１５          ベルト
Ａ            垂直
Ｂ            低い高さ
Ｘ            軸芯
Ｘ１          軸芯
Ｈ            人
Ｈ１          臀部
Ｈ２          背中
Ｈ３          腰
Ｈ４          腕
ＧＬ          地面
【図１】
0003163641.tif 000003
【図２】
0003163641.tif 000004
【図３】
0003163641.tif 000005
【図４】
0003163641.tif 000006
【図５】
0003163641.tif 000007
【図６】
0003163641.tif 000008
【図７−１】
0003163641.tif 000009
【図７−２】
0003163641.tif 000010
【図８】
0003163641.tif 000011
【図９】
0003163641.tif 000012
【図１０】
0003163641.tif 000013
【図１１】
0003163641.tif 000014